(57)【特許請求の範囲】
【請求項１】
ポリ塩化ビニリデン製のラッピングフィルムを丸めて付形した小球と、ポリエチレン製のラッピングフィルムを丸めて付形した小球と、これらの小球を収納する網袋とを備えたたわし。
【請求項２】
ポリ塩化ビニリデン製のラッピングフィルムを丸めて付形した小球と、ポリ塩化ビニル製のラッピングフィルムを丸めて付形した小球と、ポリメチルベンテン製のラッピングフィルムを丸めて付形した小球と、これらの小球を収納する網袋とを備えたたわし。
【発明の詳細な説明】
【技術分野】
【０００１】
この発明はたわし、詳しくはラッピングフィルムを丸めた小球を利用したたわしに関する。
【背景技術】
【０００２】
一般家庭のキッチンや、レストランなどの厨房では、食器や調理器を水洗する際にたわしが使用されている。従来、合成樹脂製のたわしとしては、例えば特許文献１、特許文献２に記載されたものが知られている。
特許文献１は、金属線を含むタスラン加工糸により網袋を作製し、その中に吸水性弾性体を収納したたわしである。また、特許文献２は、抗菌剤を含む軟質ポリウレタンフォーム製のたわしである。
これらの使用時には、吸水性弾性体または軟質ポリウレタンフォームに水を含ませ（洗剤を加えてもよい）、その後、これを食器などの表面に押し付けて汚れを洗い落とす。
【特許文献１】特公平３−６０２５８号公報
【特許文献２】特公平１−６１０５３号公報
【発明の開示】
【発明が解決しようとする課題】
【０００３】
しかしながら、特許文献１のたわしは、網袋に金属線が織り込まれている。そのため、汚れ落ちはよいものの食器の表面が傷つき易かった。また、特許文献２のたわしでは、軟質ポリウレタンフォーム製であるので、食器を傷めるおそれはないものの、例えば数日間も放置された食器にこびり付いた汚れなどは落ち難かった。
【０００４】
そこで、発明者らは、鋭意研究の結果、例えば食品を冷蔵保存する際、食品の鮮度を保つためなどに利用される合成樹脂製のラッピングフィルムに着目した。すなわち、ラッピングフィルムは薄くて湾曲自在であるものの、高強度で破れに難い。しかも厚さ数μｍから十数μｍ程度であるので、フィルム端は常時鋭利である。そこで、所定サイズのラッピングフィルムを丸めて多数の小球を形成し、これらを網袋に収納すれば、従来品に比べて汚れ落ちが良く、しかも食器の表面も傷つけ難いたわしが得られることを知見し、この発明を完成させた。
この発明は、汚れ落ちが良く、汚れ物の表面も傷つけ難いたわしを提供することを目的としている。
【課題を解決するための手段】
【０００５】
請求項１に記載の発明は、ポリ塩化ビニリデン製のラッピングフィルムを丸めて付形した小球と、ポリエチレン製のラッピングフィルムを丸めて付形した小球と、これらの小球を収納する網袋とを備えたたわしである。
【０００６】
請求項１に記載の発明によれば、たわしを汚れ物の表面に押し付けて洗うと、網袋の網目から露出した小球が汚れ物の表面に接触する。小球はラッピングフィルムを丸めたものである。そのため、小球の表面全域には、湾曲自在で高強度、耐久性が高く、しかも鋭利なフィルム端（屈曲端を含む）が露出している。したがって、例えば数日間放置された食器の頑固な汚れでも、そのフィルム端により食器の表面を傷つけることなく汚れを剥ぎ落とすことができる。また、小球はラッピングフィルムを例えばくしゃくしゃに丸めて形成したので、小球が多孔質化し、洗剤を使用したときの泡立ちも良い。しかも、食品用のラッピングフィルムは、人体に無害で、環境汚染を発現しない素材が使用されている。そのため、安全性が高く、環境にも優しい。
また、ポリ塩化ビニリデン製の小球を一部に使用することで、１つの網袋に収納された小球群に、くもり度の違いで外観的な変化を与えることができる。これにより、たわしのデザイン性を高めることができる。しかも、ポリ塩化ビニリデン製の小球は密着性が高いので、鍋などに付着したしつこい汚れでも、その汚れに貼り付いて良好に除去できる。さらに、ポリエチレン製の小球が高強度であるので、汚れの付着面に強く擦り付けても損傷し難い。これらの効果を同時に満足させることができる。
【０００７】
たわしの用途は限定されない。例えば、各種のステンレス製品、各種のプラスチック製品、各種のガラス製品、各種のセラミックス（大理石を含む）製品、各種の木製品（漆塗り品を含む）などの洗浄などに採用することができる。具体的には、合成樹脂製または陶器製の食器類、金属製の調理器、陶器製または金属製の花瓶、表面が合成樹脂製または金属製の電化製品、セラミック製または金属製のシンクなどが挙げられる。その他にも換気扇、レンジ、電気調理器（電気炊飯器、電気ポットを含む）の表示用ガラスプレート、フライパン、墓石などの洗浄が挙げられる。油汚れがひどい場合には、ペーパー類（キッチンペーパーを含む）や布類で粗拭きしてからの方が効果的である。
ラッピングフィルムとしては、例えば食品用のラッピングフィルムを採用することができる。その素材はポリ塩化ビニリデンと、ポリエチレンとの２種類である。
ラッピングフィルムの厚さは、５〜１５μｍ、好ましくは８〜１１μｍである。
ラッピングフィルムの大きさは限定されない。例えば、１００〜２０００ｃｍ２である。
【０００８】
網袋に入れる小球の個数は、例えば５個以上である。
網袋の素材は限定されない。例えば、天然繊維（綿、絹、麻、アルギン酸繊維など）、合成繊維（ポリビニルホルマール繊維、ポリアミド繊維、アクリロニトリル繊維、ポリエステル繊維、ポリプロピレン繊維、塩化ビニル繊維、塩化ビニリデン繊維、ポリ四フッ化エチレン繊維など）、金属繊維（アルミニウム繊維、銅繊維、ステンレス繊維など）を採用することができる。
網袋の網目の大きさは、小球のサイズに応じて適宜変更される。要は、小球が網袋の網目を通過せず、網目を通してラッピングフィルムが露出する大きさである。
網袋の中に各種のスポンジ、布帛などの吸水性弾性体を収納してもよい。
【０００９】
網袋を、表面側小袋と裏面側小袋とを有する分割網袋とし、各小袋に素材、大きさ、形状などが異なる小球を別々に収納してもよい。
また、網袋の中に、大きな内部網袋と小さな内部網袋とを所定数だけ出し入れ自在に収納してもよい。その際、大小の内部網袋の中には、同じ素材、同じ大きさの小球を収納してもよい。また、異なる素材、異なる大きさの小球を収納してもよい。
【００１０】
ラッピングフィルムの大きさは、５００〜１０００ｃｍ２とすれば、汚れ落ち効果がさらに高まるとともに、網袋内で小球が嵩張り難くなる。５００ｃｍ２未満では小球が若干小さすぎて、汚れを十分に除去できないおそれがある。また、１０００ｃｍ２を超えると小球が若干大きすぎて、網袋内で小球が嵩張ってしまう。ラッピングフィルムの好ましい大きさは、７５０〜９００ｃｍ２（３０×２５ｃｍ〜３０×３０ｃｍ）である。この大きさであれば、汚れを良好に除去でき、網袋内で１個の小球が嵩張り難い。
【００１１】
ここでは、ポリ塩化ビニリデンとポリエチレンという素材が異なるラッピングフィルムの小球を、１つの網袋にそれぞれ収納している。このように、１つの網袋の中に、素材が異なる小球を多数収納すれば、例えば強度（引き裂き強度を含む）、粘性、耐久性、耐熱性、密着性または耐薬品性といった各素材特有の効果を併せ持ったたわしを得ることができる。
【００１２】
請求項２に記載の発明は、ポリ塩化ビニリデン製のラッピングフィルムを丸めて付形した小球と、ポリ塩化ビニル製のラッピングフィルムを丸めて付形した小球と、ポリメチルベンテン製のラッピングフィルムを丸めて付形した小球と、これらの小球を収納する網袋とを備えたたわしである。
【００１３】
請求項２に記載の発明によれば、ポリ塩化ビニリデン製の小球と、ポリ塩化ビニル製の小球と、ポリメチルベンテン製の小球とを網袋に収納したので、ポリ塩化ビニリデン製の小球の特性であるくもり度の違いによる外観的な変化と、高密着性により得られるこびり付いた汚れの高い除去効果とが得られる。しかも、ポリメチルベンテンの効果である耐熱性も得られる。これらの効果が同時に得られる。
【発明の効果】
【００１４】
請求項１に記載の発明によれば、合成樹脂製のラッピングフィルムを丸めて付形した小球を網袋に多数個収納したので、汚れ落ちが良く、汚れ物の表面も傷つけ難い。そして、泡立ちも良い。しかも、ポリ塩化ビニリデン製の小球と、ポリエチレン製の小球とを、網袋に収納したので、ポリ塩化ビニリデン製の小球によりたわしのデザイン性を高めることができるとともに、しつこい汚れにも貼り付いて良好に除去することができる。さらには、ポリエチレン製の小球が高強度であるので、汚れの付着面に強く擦り付けても損傷し難くなる。
【００１５】
請求項２に記載の発明によれば、ポリ塩化ビニリデン製の小球と、ポリ塩化ビニル製の小球と、ポリメチルベンテン製の小球とを網袋に収納したので、ポリ塩化ビニリデン製の小球の特性であるくもり度の違いによる外観的な変化と、高密着性により得られるこびり付いた汚れの高い除去効果とが得られる。さらに、ポリメチルベンテンの効果である耐熱性も得られる。これらの効果が同時に得られる。
【発明を実施するための最良の形態】
【００１６】
以下、この発明の実施例を具体的に説明する。
【実施例１】
【００１７】
図１および図２において、１０は、この発明の実施例１に係るたわしで、合成樹脂製のラッピングフィルムを丸めて付形した多数個の小球１１と、各小球１１を収納する網袋１２とを備えている。
以下、各構成部品を詳細に説明する。ラッピングフィルムは市販のポリ塩化ビニリデン製で、その厚さは１１μｍ、ラッピングフィルムの大きさは、縦３０ｃｍ×横２５ｃｍ（７５０ｃｍ２）である。また、縦３０ｃｍ×横３０ｃｍ（９００ｃｍ２）のものでもよい。なお、大きさが異なるラッピングフィルムからなる異径の小球１１を１つの網袋１２に収納してもよい。また、素材が異なるラッピングフィルム（例えばポリ塩化ビニリデンフィルムとポリエチレンフィルム）製の小球１１を、同じ網袋１２に収納してもよい。
６２５ｃｍ２のラッピングフィルムから得られた小球１１の見かけ上の直径は、２．５ｃｍ程度である。また、９００ｃｍ２のラッピングフィルムから得られた小球１１の見かけ上の直径は、３ｃｍ程度である。
【００１８】
網袋１２は、ポリエチレン糸を緩く編んだ布を、縦１４ｃｍ×横１０ｃｍ×厚さ２ｃｍの袋状にしたものである。網袋１２の内部空間には、前記６２５ｃｍ２（９００ｃｍ２も同じ）のラッピングフィルムからなる小球１１の場合で、１２個が収納されている。また、縦１４ｃｍ×横８ｃｍ×厚さ２ｃｍの網袋１２を採用した場合には、９個の小球１１が収納される。さらに、縦１４ｃｍ×横７ｃｍ×厚さ２ｃｍの網袋１２の場合には、９〜１０個の小球１１が収納される。さらにまた、洗車用のたわしの場合には、縦１５ｃｍ×横１５ｃｍ×厚さ２ｃｍの網袋１２の中に８個の小球１１が収納される。
【００１９】
次に、この発明の実施例１に係るたわし１０の使用方法を説明する。
図１および図２に示すように、食器１３の洗浄時には、たわし１０に水またはぬるま湯をかけ、これを各小球１１に含ませる。このとき、洗剤を使用してもよい。
その後、たわし１０を食器１３に押し付けて洗うと、網袋１２の網目から露出した小球１１が食器１３の表面に接触する。小球１１はラッピングフィルムを丸めたものである。そのため、小球１１の表面の全域には、湾曲自在でかつ強度および耐久性がそれぞれ高く、しかも薄くて鋭利なフィルム端とフィルム屈曲端とが露出している。これらが汚れを削ぎ落とす（図２）。そのため、例えば数日間放置されたままの頑固な汚れでも、そのフィルム端などにより食器１３の表面を傷つけることなく、良好に洗い落とすことができる。また、ラッピングフィルムを丸めたことで、小球１１が多孔質化し、洗剤を使用したときの泡立ちも良い。また、水はけが良くてカビや雑菌も繁殖し難い。
なお、頑固な汚れの場合には、ラッピングフィルムと研磨剤を使用して粗洗い後、使用する。
【００２０】
また、ラッピングフィルムとして、ポリ塩化ビニリデン製のものを採用したので、ポリエチレン、ポリ塩化ビニルなどの他の合成樹脂製のラッピングフィルムの場合に比べ、フィルムの密着度が高い。これにより、さらに汚れ落ち（汚れの捕集性）が良い。
そして、ラッピングフィルムの大きさを５００〜１０００ｃｍ２の範囲のものとしたので、汚れ落ち効果はさらに高まり、しかも網袋１２内で小球１１が嵩張り難い。
さらには、例えば網袋１２の一部にチャックなどの開閉構造部を設けておけば、使用により傷んだ小球１１を新品に交換したり、素材や大きさが異なる別の小球に交換したりすることができる。
【図面の簡単な説明】
【００２１】
【図１】この発明の実施例１に係るたわしの斜視図である。
【図２】この発明の実施例１に係るたわしの使用状態の要部拡大正面図である。
【符号の説明】
【００２２】
１０  たわし、
１１  小球、
１２  網袋。
【要約】
【課題】
汚れ落ちが良く、汚れ物の表面も傷つけ難いたわしを提供する。
【解決手段】
たわし１０を食器１３に押し付けて洗うと、網袋１２の網目から露出した小球１１が食器１３の表面に接触する。小球１１はラッピングフィルムを丸めたものであるから、小球１１の表面の全域には、湾曲自在だが高強度で鋭利なフィルム端が露出している。したがって、数日間放置された食器１３の頑固な汚れでも、そのフィルム端で食器１３を傷つけることなく汚れを剥ぎ取ることができる。また、ラッピングフィルムを丸めることで小球１１が多孔質化し、洗剤使用時の泡立ちも良い。
【選択図】図１
【図１】
0003662918.tif 000002
【図２】
0003662918.tif 000003